(57)【要約】【課題】医療従事者への空気感染を防御することができるパンデミック対応型換気システムを提供する。【解決手段】室内２に給気するファン１２を用いて室内２を換気する換気システム１００であって、ファン１２の下流側に設けたＨＥＰＡフィルタ１４と、ＨＥＰＡフィルタ１４の下流側の室内２の医療従事者Ｍと感染被疑者Ｓとの間にエアカーテンＣを形成するエアカーテン形成手段２４とを備えるようにする。ＨＥＰＡフィルタ１４の下流側に、さらにイオン発生素子を設けてもよい。【選択図】図１
2011257011.tif 000002
【特許請求の範囲】
【請求項１】
室内に給気するファンを用いて前記室内を換気する換気システムであって、
前記ファンの下流側に設けたＨＥＰＡフィルタと、
前記ＨＥＰＡフィルタの下流側の前記室内の所定領域にエアカーテンを形成するエアカーテン形成手段とを備えることを特徴とするパンデミック対応型換気システム。
【請求項２】
前記ＨＥＰＡフィルタの下流側に、イオン発生素子を設けたことを特徴とする請求項１に記載のパンデミック対応型換気システム。
【請求項３】
前記ファンからの給気流を、前記ＨＥＰＡフィルタを通過しないで前記室内に導く空気通路を設け、前記エアカーテン形成手段は、この空気通路からの給気流により前記室内の所定領域にエアカーテンを形成するものであることを特徴とする請求項１または２に記載のパンデミック対応型換気システム。
【請求項４】
前記空気通路に、イオン発生素子を設けたことを特徴とする請求項３に記載のパンデミック対応型換気システム。
【請求項５】
前記空気通路に、イオンの室内拡散を防止するための導流手段を設けたことを特徴とする請求項４に記載のパンデミック対応型換気システム。
【請求項６】
前記室内にイオン量測定手段を設け、前記イオン量測定手段による測定値に基づいて前記室内への給気風量と前記イオン発生素子に対する印加電圧の少なくとも一方を制御する制御手段を有することを特徴とする請求項２〜５のいずれか一つに記載のパンデミック対応型換気システム。
【請求項７】
前記ファンおよび前記ＨＥＰＡフィルタは、天井に設けられ、
前記エアカーテン形成手段は、前記ＨＥＰＡフィルタ直下の室内の医療従事者用の空間と、前記ＨＥＰＡフィルタの斜め下の感染被疑者用の空間とを空間的に分断するエアカーテンを形成するものであることを特徴とする請求項１〜６のいずれか一つに記載のパンデミック対応型換気システム。
【発明の詳細な説明】
【技術分野】
【０００１】
本発明は、室内用の換気システムに関し、特に、新型インフルエンザなどの空気感染が疑われる疾病のパンデミック（汎発流行）に対応可能なパンデミック対応型換気システムに関するものである。
【背景技術】
【０００２】
従来、室内空間をエアカーテンで分断することにより細菌やウイルス等の侵入を阻止し、清浄度の向上した空間を創出する技術が知られている（例えば、特許文献１参照）。
【先行技術文献】
【特許文献】
【０００３】
【特許文献１】特許第４３２６２２７号公報
【発明の概要】
【発明が解決しようとする課題】
【０００４】
ところで、２００９年に世界的に流行した新型インフルエンザは空気感染するおそれがあるとも言われており、パンデミック（汎発流行）に発展する可能性が指摘されている。このような空気感染が疑われる疾病は、公的病院のみならず民間病院でも外来診察を受け付けることがあるが、病院の医療従事者は、感染被疑者と直接対面して診察等の医療行為を行うため、感染被疑者から空気を介して感染するおそれがある。このため、医療従事者への空気感染を防御することができる室内換気システムの開発が急務となっていた。
【０００５】
本発明は、上記に鑑みてなされたものであって、医療従事者への空気感染を防御することができるパンデミック対応型換気システムを提供することを目的とする。
【課題を解決するための手段】
【０００６】
上記した課題を解決し、目的を達成するために、本発明の請求項１に係るパンデミック対応型換気システムは、室内に給気するファンを用いて前記室内を換気する換気システムであって、前記ファンの下流側に設けたＨＥＰＡフィルタと、前記ＨＥＰＡフィルタの下流側の前記室内の所定領域にエアカーテンを形成するエアカーテン形成手段とを備えることを特徴とする。
【０００７】
また、本発明の請求項２に係るパンデミック対応型換気システムは、上述した請求項１において、前記ＨＥＰＡフィルタの下流側に、イオン発生素子を設けたことを特徴とする。
【０００８】
また、本発明の請求項３に係るパンデミック対応型換気システムは、上述した請求項１または２において、前記ファンからの給気流を、前記ＨＥＰＡフィルタを通過しないで前記室内に導く空気通路を設け、前記エアカーテン形成手段は、この空気通路からの給気流により前記室内の所定領域にエアカーテンを形成するものであることを特徴とする。
【０００９】
また、本発明の請求項４に係るパンデミック対応型換気システムは、上述した請求項３において、前記空気通路に、イオン発生素子を設けたことを特徴とする。
【００１０】
また、本発明の請求項５に係るパンデミック対応型換気システムは、上述した請求項４において、前記空気通路に、イオンの室内拡散を防止するための導流手段を設けたことを特徴とする。
【００１１】
また、本発明の請求項６に係るパンデミック対応型換気システムは、上述した請求項２〜５のいずれか一つにおいて、前記室内にイオン量測定手段を設け、前記イオン量測定手段による測定値に基づいて前記室内への給気風量と前記イオン発生素子に対する印加電圧の少なくとも一方を制御する制御手段を有することを特徴とする。
【００１２】
また、本発明の請求項７に係るパンデミック対応型換気システムは、上述した請求項１〜６のいずれか一つにおいて、前記ファンおよび前記ＨＥＰＡフィルタは、天井に設けられ、前記エアカーテン形成手段は、前記ＨＥＰＡフィルタ直下の室内の医療従事者用の空間と、前記ＨＥＰＡフィルタの斜め下の感染被疑者用の空間とを空間的に分断するエアカーテンを形成するものであることを特徴とする。
【発明の効果】
【００１３】
本発明によれば、室内に給気するファンを用いて前記室内を換気する換気システムであって、前記ファンの下流側に設けたＨＥＰＡフィルタと、前記ＨＥＰＡフィルタの下流側の前記室内の所定領域にエアカーテンを形成するエアカーテン形成手段とを備えるので、室内空間の清浄化を図ることができると同時に、エアカーテンで感染被疑者と医療被疑者との間を空間的に遮断することにより医療従事者への空気感染を防御することができるという効果を奏する。
【図面の簡単な説明】
【００１４】
【図１】図１は、本発明に係るパンデミック対応型換気システムの実施例１を示す図である。
【図２】図２は、図１のＡ−Ａ線に沿った図である。
【図３】図３は、図１のＢ部分の詳細図である。
【図４】図４は、本発明に係るパンデミック対応型換気システムの吹き出し面を示す図である。
【図５】図５は、本発明に係るパンデミック対応型換気システムの実施例２を示す図である。
【図６】図６は、空間イオン濃度を比較した図である。
【図７】図７は、イオン発生素子の配置の一例を示す図である。
【図８】図８は、本発明に係るパンデミック対応型換気システムの実施例３を示す図である。
【図９】図９は、実施例３によるイオン吹き出しの一例を示す図である。
【図１０】図１０は、本発明に係るパンデミック対応型換気システムの実施例４を示す図である。
【発明を実施するための形態】
【００１５】
以下に、本発明に係るパンデミック対応型換気システムの実施の形態（実施例１〜４）を図面に基づいて詳細に説明する。なお、この実施例によりこの発明が限定されるものではない。
【００１６】
［実施例１］
まず、実施例１について説明する。
図１および図２に示すように、本発明の実施例１に係るパンデミック対応型換気システム１００は、病院の診療室内２の天井に設けたファンフィルタユニット１０（ＦＦＵ）からなる換気システムである。室内２には、空気感染型の疾病に感染している疑いがある感染被疑者Ｓと、この感染被疑者Ｓと対面して診察等を行う医療従事者Ｍとが滞在している。
【００１７】
ＦＦＵ１０は、ファン１２と、ファン１２の下流側に設けたＨＥＰＡフィルタ１４と、エアカーテン形成手段２４、２６と、多数の吹き出し口１６を有するパンチングパネル１８と、還気口２２を有する還気通路２０とを備える。エアカーテン形成手段２４、２６は、ＨＥＰＡフィルタ１４直下の医療従事者Ｍと、ＨＥＰＡフィルタ１４の斜め下の感染被疑者Ｓとの間を空間的に分断するエアカーテンＣを形成するためのものである。
【００１８】
エアカーテン形成手段は、図３の詳細図および図４の吹き出し面に示すように、給気口２６と、導流板２４とからなる。給気口２６は、パンチングパネル１８の外周側に配置してあり、斜め下方に向けて開口し、ＨＥＰＡフィルタ１４を通過した気流を室内へ斜め下方に吹き出すためのものである。
【００１９】
導流板２４は、パンチングパネル１８の外周に設けた還気口２２と給気口２６の境界に、鉛直から角度θだけ傾斜した態様で設けてある。この導流板２４は、給気口２６から吹き出した気流を、パンチングパネル１８の直下方向に対して斜め外方に偏向させるとともに、還気口２２に入り込む還気流を案内するためのものである。
【００２０】
上記の構成において、室内２の空気はファン１２の回転によって還気口２２から還気通路２０に入り込む。この空気はファン１２でＨＥＰＡフィルタ１４に送られて清浄化され、この清浄空気は吹き出し口１６から室内２の医療従事者Ｍが居る領域Ｒに給気され、領域Ｒは清浄化される。
【００２１】
一方、給気口２６からもＨＥＰＡフィルタ１４による清浄化された空気が吹き出される。この気流は、導流板２４で案内され、医療従事者Ｍと感染被疑者Ｓとの間にエアカーテンＣを形成する。このエアカーテンＣにより、感染被疑者Ｓからの飛沫を防御するバリアを構築でき、非感染者である医療従事者Ｍを空気感染から防ぐことができる。また、ＨＥＰＡフィルタ１４により室内２の清浄度を上げてウイルスの除去を行うことができる。
【００２２】
なお、上記の実施の形態において、低騒音仕様のＦＦＵを用いてもよい。この場合、例えば、ファンサイズを１６インチ程度にし、ファンモータをＤＣモータとし、ＦＦＵ内部にグラスウール等の防音材を設け、モータの回転を低回転として、発生騒音を低く抑える。このようにしても、室内の医療従事者Ｍと感染被疑者Ｓとの間に生じる風速を約０．３〜０．４ｍ／ｓに維持しつつ、ＦＦＵからの騒音を５０ｄＢ（Ａ）程度に抑制することができる。
【００２３】
［実施例２］
次に、実施例２について説明する。
図５に示すように、本発明の実施例２に係るパンデミック対応型換気システム２００は、上記の実施例１の構成において、ＨＥＰＡフィルタ１４の下流側に、プラズマクラスターイオン発生素子などのイオン発生素子２８を設け、ＨＥＰＡフィルタ１４を通過した空気の除菌を行うものである。このイオン発生素子２８は、プラスイオン発生素子２８ａと、マイナスイオン発生素子２８ｂとからなる。
【００２４】
ところで、プラズマクラスターイオン等の空気イオンは、主に直径１〜１０μｍ以下のガラス繊維等で構成されているＨＥＰＡフィルタ１４を通過することはできない。したがって、図６に示すように、イオン発生素子２８をＨＥＰＡフィルタ１４の上流側に設置すると室内空間にイオンを供給することはできない。反対に、イオン発生素子２８をＨＥＰＡフィルタ１４の下流側に設置すると、空気中の微粒子がＨＥＰＡフィルタ１４に捕集され、微粒子によるイオンの吸着がなく、室内空間へのイオン供給を増加させることができる。
【００２５】
なお、イオン発生素子２８は、プラスおよびマイナスイオンが同時発生するものではなく、プラスイオンのみを発生する素子とマイナスイオンのみを発生する素子とを併用した方が室内空間のイオン量を多くすることができる。この場合、イオン発生素子どうしは少なくとも５ｃｍ以上離して設置した方がよい。
【００２６】
また、イオン発生素子２８の配置態様は、例えば、図７に示すように、パンチングパネル１８の下面側に、プラスイオン発生素子２８ａとマイナスイオン発生素子２８ｂとを千鳥格子状に配置した態様とすることができる。
【００２７】
［実施例３］
次に、実施例３について説明する。
図８に示すように、本発明の実施例３に係るパンデミック対応型換気システム３００は、上記の実施例１の構成において、ファン１２からの給気流をＨＥＰＡフィルタ１４を通過しないで室内２に導く給気通路３０（空気通路）を設け、この給気通路３０内にイオン発生素子２８を設けたものである。こうすることで、ＨＥＰＡフィルタ１４を通過させずにイオンを発生させ、この空気を室内２に給気する。なお、給気通路３０からの給気流にでエアカーテンＣを形成する。
【００２８】
給気通路３０の吹き出し口の下方に形成されるエアカーテンＣの形態としては、複数の方式が考えられる。例えば、図９（ａ）に示すように、プラスイオン（＋）とマイナスイオン（−）を同じ吹き出し口から混在状態で室内に供給する方式が考えられる。
【００２９】
また、図９（ｂ）に示すように、イオンの室内拡散を防止するためのフィン（導流手段）３２等を給気通路３０に設けて給気通路３０内部を２つの通路に分割し、例えば、外周側をイオンなしの気流で、内周側をイオンありの気流とする。この際、外周側の風速は数ｍから十数ｍ（強風）で、内周側はそれより少ない風速が望ましい。
【００３０】
また、図９（ｃ）に示すように、給気通路３０内部をフィン３２等で２つの通路に分割するだけでなく、３つ以上の複数の通路に分割することもできる。その際に、吹き出すイオンの態様としては、プラスイオンとマイナスイオンを別々の通路から吹き出す場合と、同じ通路内を混在した状態で吹き出す場合が考えられる。
【００３１】
［実施例４］
次に、実施例４について説明する。
図１０に示すように、本発明の実施例４に係るパンデミック対応型換気システム４００は、上記の実施例２の構成において、室内２に少なくとも一つのイオンカウンタ３４（イオン量測定手段）を設けるとともに、制御手段３６を設けたものである。
【００３２】
制御手段３６は、イオンカウンタ３４による測定値に基づいてＦＦＵ１０からの室内２への給気風量とイオン発生素子２８に対する印加電圧の少なくとも一方を制御することで、イオンカウンタ３４によるイオン発生量の制御を行うものである。
【００３３】
イオン発生素子２８からのイオン発生量は、印加する電圧等に依存しており、イオンの移動度（移動距離）は、風速等に依存している。また、空気中のイオン濃度（イオン量）は、空気中の微粒子、湿度（水分粒子）等に依存している。
【００３４】
常時一定量のイオンを空気中に維持させるため、イオンカウンタ３４は、イオンを必要とする部位（範囲）内に設置し、イオン量を常時モニタリングするようにする。モニタリングされたイオン量の増減によって、イオン発生素子２８への印加電圧を増減制御したり、ファン１２の回転数を増減制御すること等で室内２への吹き出し風速を増減する。また、予備のイオン発生素子を新たに設け、この予備のイオン発生素子を発停する制御を行うことで、室内２の所定領域のイオン量を一定に保つようにしてもよい。
【００３５】
イオンカウンタ３４は、平行平板式イオン密度測定器や同軸二重円筒式イオン密度測定器等、イオンを測定できる装置を用いることができる。また、印加電圧の制御は数ｋＶから数十ｋＶの範囲で、風速の制御は数ｍから数十ｍの範囲が望ましい。制御手段３６による印加電圧の制御と風速の制御は、いずれか一方を単独で制御してもよいし、両方を同時に制御してもよい。
【００３６】
以上説明したように、本発明によれば、室内に給気するファンを用いて前記室内を換気する換気システムであって、前記ファンの下流側に設けたＨＥＰＡフィルタと、前記ＨＥＰＡフィルタの下流側の前記室内の所定領域にエアカーテンを形成するエアカーテン形成手段とを備えるので、室内空間の清浄化を図ることができると同時に、エアカーテンで感染被疑者と医療被疑者との間を空間的に遮断することにより医療従事者への空気感染を防御することができる。
【産業上の利用可能性】
【００３７】
以上のように、本発明に係るパンデミック対応型換気システムは、病院の発熱外来用の診察室や救急診察室等の換気システムに有用であり、特に、医療従事者が感染被疑者に対して診察等の医療行為を行う場合に、感染被疑者から医療従事者への空気感染を防ぐのに適している。
【符号の説明】
【００３８】
２  室内
１０  ＦＦＵ（ファンフィルタユニット）
１２  ファン
１４  ＨＥＰＡフィルタ
１６  吹き出し口
１８  パンチングパネル
２０  還気通路
２２  還気口
２４  導流板（エアカーテン形成手段）
２６  給気口（エアカーテン形成手段）
２８  イオン発生素子
２８ａ  プラスイオン発生素子
２８ｂ  マイナスイオン発生素子
３０  給気通路（空気通路）
３２  フィン（導流手段）
３４  イオンカウンタ（イオン量測定手段）
３６  制御手段
Ｍ  医療従事者
Ｓ  感染被疑者
Ｃ  エアカーテン
Ｒ  清浄化領域
１００  パンデミック対応型換気システム（実施例１）
２００  パンデミック対応型換気システム（実施例２）
３００  パンデミック対応型換気システム（実施例３）
４００  パンデミック対応型換気システム（実施例４）
【図１】
2011257011.tif 000003
【図２】
2011257011.tif 000004
【図３】
2011257011.tif 000005
【図４】
2011257011.tif 000006
【図５】
2011257011.tif 000007
【図６】
2011257011.tif 000008
【図７】
2011257011.tif 000009
【図８】
2011257011.tif 000010
【図９】
2011257011.tif 000011
【図１０】
2011257011.tif 000012